(57)【要約】      （修正有）【課題】ディスプレイとの接続に便利である２つのディスプレイコネクタを備えるメインボードを提供する。【解決手段】メインボード１００は、ディスプレイカード制御器１１０、信号スイッチチップ１２０、第一ディスプレイコネクタ１３０、第二ディスプレイコネクタ１４０及び抵抗Ｒ１を備える。ディスプレイが、第一ディスプレイコネクタと接続されると、信号スイッチチップは、第一ディスプレイコネクタから低レベル電圧を受信し、ディスプレイカード制御器から受信した画像信号を第一ディスプレイコネクタを介して、ディスプレイ２００に供し、ディスプレイが、第二ディスプレイコネクタと接続されると、信号スイッチチップは、第一ディスプレイコネクタから高レベル電圧を受信し、ディスプレイカード制御器から受信した画像信号を第二ディスプレイコネクタを介して、ディスプレイに提供する。【選択図】図１
2014146325.tif 000002
【特許請求の範囲】
【請求項１】
２つのディスプレイコネクタを備えるメインボードにおいて、
前記２つのディスプレイコネクタを備えるメインボードは、ディスプレイカード制御器、信号スイッチチップ、第一ディスプレイコネクタ、第二ディスプレイコネクタ及び抵抗を備え、前記第一ディスプレイコネクタと前記第二ディスプレイコネクタとは、それぞれディスプレイと接続され、前記ディスプレイカード制御器は、前記信号スイッチチップと接続され、前記信号スイッチチップは、前記第一ディスプレイコネクタと前記第二ディスプレイコネクタとに接続され、前記第一ディスプレイコネクタの検出ピンは、前記抵抗を介して、電圧源と接続され、
前記ディスプレイが、前記第一ディスプレイコネクタと接続されると、前記信号スイッチチップは、前記第一ディスプレイコネクタの検出ピンから低レベル電圧を受信され、前記ディスプレイカード制御器から受信された画像信号を前記第一ディスプレイコネクタを介して、前記ディスプレイに提供し、
前記ディスプレイが、前記第二ディスプレイコネクタと接続されると、前記信号スイッチチップは、前記第一ディスプレイコネクタの検出ピンから高レベル電圧を受信し、前記ディスプレイカード制御器から受信された画像信号を前記第二ディスプレイコネクタを介して、前記ディスプレイに提供することを特徴とする２つのディスプレイコネクタを備えるメインボード。  
【請求項２】
前記２つのディスプレイコネクタを備えるメインボードをケースに設置する際、前記第一ディスプレイコネクタは、前記ケースの前端に露出され、前記第二ディスプレイコネクタは、前記ケースの後端に露出されることを特徴とする請求項１に記載の２つのディスプレイコネクタを備えるメインボード。
【請求項３】
前記第一ディスプレイコネクタ及び前記第二ディスプレイコネクタは、ＶＧＡコネクタであることを特徴とする請求項２に記載の２つのディスプレイコネクタを備えるメインボード。
【発明の詳細な説明】
【技術分野】
【０００１】
本発明は、メインボードに関し、特に２つのディスプレイコネクタを備えるメインボードに関するものである。
【背景技術】
【０００２】
従来のサーバのメインボードのディスプレイコネクタは、ケースの後部に設置されて、外部に露出しており、且つディスプレイと接続して、サーバの実行の状態を監視する。しかし、サーバのケースの後部の空間は狭いので、ディスプレイを接続する際、不便である。
【発明の概要】
【発明が解決しようとする課題】
【０００３】
以上の問題点に鑑みて、本発明は、ディスプレイとの接続に便利である２つのディスプレイコネクタを備えるメインボードを提供することを目的とする。
【課題を解決するための手段】
【０００４】
上記の課題を解決するために、本発明の２つのディスプレイコネクタを備えるメインボードは、ディスプレイカード制御器、信号スイッチチップ、第一ディスプレイコネクタ、第二ディスプレイコネクタ及び抵抗を備える。前記第一ディスプレイコネクタと前記第二ディスプレイコネクタとは、それぞれディスプレイとに接続され、前記ディスプレイカード制御器は、前記信号スイッチチップと接続され、前記信号スイッチチップは、前記第一ディスプレイコネクタと前記第二ディスプレイコネクタとに接続され、前記第一ディスプレイコネクタの検出ピンは、前記抵抗を介して、電圧源と接続され、前記ディスプレイが、前記第一ディスプレイコネクタと接続されると、前記信号スイッチチップは、前記第一ディスプレイコネクタの検出ピンから低レベル電圧を受信し、前記ディスプレイカード制御器から受信した画像信号を前記第一ディスプレイコネクタを介して、前記ディスプレイに提供し、前記ディスプレイが、前記第二ディスプレイコネクタと接続されると、前記信号スイッチチップは、前記第一ディスプレイコネクタの検出ピンから高レベル電圧を受信し、前記ディスプレイカード制御器から受信した画像信号を前記第二ディスプレイコネクタを介して、前記ディスプレイに提供する。
【発明の効果】
【０００５】
本発明の２つのディスプレイコネクタを備えるメインボードは、信号スイッチチップを介して、第一ディスプレイコネクタの検出ピンからの検出信号を受信し、該検出信号によって、ディスプレイカード制御器から受信した画像信号を、第一ディスプレイコネクタ或いは第二ディスプレイコネクタを介して、ディスプレイに提供する。これにより、２つのディスプレイコネクタを備えるメインボードは、実際の要求によって、第一ディスプレイコネクタ或いは第二ディスプレイコネクタを選択するので、ディスプレイとの接続に便利である。
【図面の簡単な説明】
【０００６】
【図１】本発明に係る２つのディスプレイコネクタを備えるメインボードの構造を示す図である。
【発明を実施するための形態】
【０００７】
図１に示したように、２つのディスプレイコネクタを備えるメインボード１００は、ディスプレイカード制御器１１０、信号スイッチチップ１２０、第一ディスプレイコネクタ１３０、第二ディスプレイコネクタ１４０及び抵抗Ｒ１を備える。本実施形態において、２つのディスプレイコネクタを備えるメインボード１００に設置される他の部材は、一般のメインボードに設置される他の部材と同じなので、ここでの説明は省略する。
【０００８】
第一ディスプレイコネクタ１３０は、サーバのメインボードの前端に設置され、第二ディスプレイコネクタ１４０は、サーバのメインボードの後端に設置される。即ち、メインボードをケースに設置する際、第一ディスプレイコネクタ１３０は、ケースの前端に露出され、第二ディスプレイコネクタ１４０は、ケースの後端に露出される。本実施形態において、第一ディスプレイコネクタ１３０及び第二ディスプレイコネクタ１４０は、ＶＧＡコネクタであり、１つのディスプレイ２００のディスプレイコネクタ２１０に接続される。
【０００９】
ディスプレイカード制御器１１０は、信号スイッチチップ１２０と接続されて、画像信号を信号スイッチチップ１２０に送信する。信号スイッチチップ１２０は、更に、第一ディスプレイコネクタ１３０と第二ディスプレイコネクタ１４０とに接続されて、第一ディスプレイコネクタ１３０或いは第二ディスプレイコネクタ１４０によって、画像信号をディスプレイ２００に送信する。第一ディスプレイコネクタ１３０の検出ピンＰＲＥＳ−Ｎは、抵抗Ｒ１を介して電圧源ＶＣＣと接続される。
【００１０】
使用する際、ディスプレイ２００のディスプレイコネクタ２１０を、第一ディスプレイコネクタ１３０と接続する。この時、ディスプレイコネクタ２１０の第一ディスプレイコネクタ１３０の検出ピンＰＲＥＳ−Ｎと対応する検出ピン２１１はアースする。これにより、ディスプレイ２００が、第一ディスプレイコネクタ１３０と接続されると、第一ディスプレイコネクタ１３０の検出ピンＰＲＥＳ−Ｎはアースし、信号スイッチチップ１２０は、第一ディスプレイコネクタ１３０の検出ピンＰＲＥＳ−Ｎから低レベル電圧を受信し、信号スイッチチップ１２０は、ディスプレイカード制御器１１０から受信した画像信号を第一ディスプレイコネクタ１３０を介して、ディスプレイ２００に提供する。
【００１１】
次いで、ディスプレイ２００のディスプレイコネクタ２１０を、第二ディスプレイコネクタ１４０に接続する。この時、第一ディスプレイコネクタ１３０の検出ピンＰＲＥＳ−Ｎは、抵抗Ｒ１によって、電圧源ＶＣＣと接続され、同時に、信号スイッチチップ１２０は、第一ディスプレイコネクタ１３０の検出ピンＰＲＥＳ−Ｎから高レベル電圧を受信する。信号スイッチチップ１２０は、ディスプレイカード制御器１１０から受信した画像信号を第二ディスプレイコネクタ１４０を介して、ディスプレイ２００に提供する。
【００１２】
本発明の２つのディスプレイコネクタを備えるメインボード１００は、信号スイッチチップ１２０を介して、第一ディスプレイコネクタ１３０の検出ピンＰＲＥＳ−Ｎからの検出信号を受信し、該検出信号によって、ディスプレイカード制御器１１０から受信した画像信号を、第一ディスプレイコネクタ１３０或いは第二ディスプレイコネクタ１４０を介して、ディスプレイ２００に提供する。
【符号の説明】
【００１３】
１００  ディスプレイコネクタを備えるメインボード
１１０  ディスプレイカード制御器
１２０  信号スイッチチップ
１３０  第一ディスプレイコネクタ
１４０  第二ディスプレイコネクタ
Ｒ１  抵抗
２００  ディスプレイ
２１０  ディスプレイコネクタ
２１１  検出ピン
【図１】
2014146325.tif 000003